(57)【要約】  【課題】  視聴している放送番組に関する投稿を選択的に閲覧する。  【解決手段】  チャンネル選択部１１０は放送チャンネルを選局する。チャンネル選択部１１０の選局情報は、選択チャンネル判別部１２１に一旦供給されたにち放送信号受信再生部１１１に引き渡される。放送信号受信再生部１１１は、放送信号を受信し、チューニングし、復調等して映像信号、音声信号等を表示部１１４に供給する。選択チャンネル判別部１２１は、選局情報から現在の放送チャンネルを判別する。掲示板決定部１２２は、チャンネル・掲示板対応テーブル記憶部１１２に記憶されているチャンネル・掲示板対応テーブルを参照して閲覧対象の掲示板を決定する。新着投稿取得部１２３は、所定のインターバルで、選択チャンネルに割り当てられた掲示板サービスにアクセスして新着投稿を取得して表示部１１４に表示する。【選択図】  図１
2006053729.tif 000002
【特許請求の範囲】
【請求項１】
放送信号を受信して所望のチャンネルの放送番組を再生する放送番組再生手段と、
放送信号のチャンネルと掲示板とを対応づける対応づけ手段と、
再生しているチャンネルに対応する掲示板から所定範囲の新着の投稿を取り出す手段と、
取りだした投稿を表示する手段とを有することを特徴とする掲示板投稿閲覧装置。
【請求項２】
選局指令を放送信号受信再生装置に送出して選局を行なわせる選局指令送出手段と、
放送信号のチャンネルと掲示板とを対応づける対応づけ手段と、
選局指令に係るチャンネルに対応する掲示板から所定範囲の新着の投稿を取り出す手段と、
取りだした投稿を表示する手段とを有することを特徴とする掲示板投稿閲覧装置。
【請求項３】
移動局の機能を有する請求項２記載の掲示板投稿閲覧装置。
【請求項４】
上記掲示板は、スレッド単位で投稿を管理するスレッド型掲示板である請求項１、２または３記載の掲示板投稿閲覧装置。
【請求項５】
取りだした投稿を一時記憶するＦＩＦＯ記憶手段を設け、上記ＦＩＦＯ記憶手段から投稿を読み出して上記投稿を表示する手段に供給する請求項１、２、３または４記載の掲示板投稿閲覧装置。
【請求項６】
放送番組再生手段により放送信号を受信して所望のチャンネルの放送番組を再生するステップと、
対応づけ手段により放送信号のチャンネルと掲示板とを対応づけるステップと、
投稿取り出し手段により、再生しているチャンネルに対応する掲示板から所定範囲の新着の投稿を取り出すステップと、
表示手段により取りだした投稿を表示するステップとを有することを特徴とする掲示板投稿閲覧方法。
【請求項７】
対応づけ手段により放送信号のチャンネルと掲示板とを対応づけるステップと、
投稿取り出し手段により、選択したチャンネルに対応する掲示板から所定範囲の新着の投稿を取り出すステップと、
取りだした投稿を表示部に表示するステップとをコンピュータに実行させるために用いられることを特徴とする掲示板投稿閲覧用コンピュータプログラム。
【発明の詳細な説明】
【技術分野】
【０００１】
この発明は、掲示板投稿閲覧技術に関し、とくに、放送番組の投稿を閲覧するのに適するようにしたものである。
【背景技術】
【０００２】
テレビ視聴中に視聴している番組に関して誰かと話すための会話の場を提供するテレビチャットシステムが提案されている（特許文献１）。このようなテレビチャットシステムでは番組ごとのチャットサービスを管理する必要があり、煩雑である。ところで、一般に利用できる掲示板の中には、放送チャンネルをテーマにしたものがあり、これを有効に利用することが好ましい。しかしながら、このような掲示板はユーザが自由にスレッドを立てて他のユーザがこれに対して応答を行なうという自律的な環境となっている。そしてスレッドは所定数例えば１０００投稿数となった場合には投稿の追加が終了し、また、場合によっては、終了後、消去される。したがって、番組に対応して掲示板が設けられていればよいが、そうでない場合には、番組に関して会話の場を固定的に設けることは困難である。
【特許文献１】特開２００３−３４５７２９
【発明の開示】
【発明が解決しようとする課題】
【０００３】
この発明は、以上の事情を考慮してなされたものであり、放送チャンネルごとに設けられた掲示板であっても簡易に放送番組に関する投稿を選択的に取得できる掲示板閲覧技術を提供することを目的としている。
【課題を解決するための手段】
【０００４】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００５】
すなわち、この発明の一側面によれば、上述の目的を達成するために、掲示板投稿閲覧装置に：放送信号を受信して所望のチャンネルの放送番組を再生する放送番組再生手段と；放送信号のチャンネルと掲示板とを対応づける対応づけ手段と；再生しているチャンネルに対応する掲示板から所定範囲の新着の投稿を取り出す手段と；取りだした投稿を表示する手段とを設けるようにしている。
【０００６】
この構成においては、視聴している番組に関する投稿を簡易に閲覧することができる。
【０００７】
また、この発明の他の側面によれば、掲示板投稿閲覧装置に：選局指令を放送信号受信再生装置に送出して選局を行なわせる選局指令送出手段と；放送信号のチャンネルと掲示板とを対応づける対応づけ手段と；選局指令に係るチャンネルに対応する掲示板から所定範囲の新着の投稿を取り出す手段と；取りだした投稿を表示する手段とを設けるようにしている。
【０００８】
この構成においては、選局指令を発したときにそのチャンネルの現在の番組に関する投稿を簡易に閲覧できる。
【０００９】
この場合、移動局の機能を設けても良い。
【００１０】
上記掲示板は、例えば、スレッド単位で投稿を管理するスレッド型掲示板である。
【００１１】
また、取りだした投稿を一時記憶するＦＩＦＯ記憶手段を設け、上記ＦＩＦＯ記憶手段から投稿を読み出して上記投稿を表示する手段に供給するようにしてもよい。
【００１２】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１３】
この発明の上述の側面および他の側面は特許請求の範囲に記載され以下実施例を用いて詳述される。
【発明の効果】
【００１４】
この発明によれば、放送チャンネルごとに設けられた掲示板であっても簡易に放送番組に関する投稿を選択的に取得できる。
【発明を実施するための最良の形態】
【００１５】
以下、この発明の実施例について説明する。
【実施例１】
【００１６】
図１は、この発明をＴＶ視聴機能を有するパーソナルコンピュータに実装した実施例をその利用環境とともに示すものである。パーソナルコンピュータに実装するのでなくセットトップボックスやＴＶ受像機自体に実装するようにしても良い。その他の情報家庭電気製品に適用しても良い。
【００１７】
図１において、投稿閲覧装置１００はパーソナルコンピュータ２００に実装される。パーソナルコンピュータ２００はネットワーク３００を介して掲示板サーバ４００やプロキシサーバ５００に接続可能になっている。投稿閲覧装置１００は、具体的にはコンピュータプログラム（図示しない）をパーソナルコンピュータ２００にインストールして実現される。投稿閲覧装置１００はＴＶ受信機能を具備しており、テレビ放送を再生できるものである。テレビ放送は、地上波アナログ放送、衛星放送（アナログまたはデジタル）、地上波デジタル放送であってよい。また、とくに説明しないが、ＦＭ、ＡＭ等のラジオ放送番組にも適用可能である。
【００１８】
ネットワーク３００は典型的にはインターネットであるが、任意のネットワークを採用できる。例えば移動体通信サービス提供会社が用意したネットワークでも良い。掲示板サーバ４００は、掲示板サービスを提供するサーバ装置である。掲示板サービスは典型的にはウェブサービスとデータベース管理サービスで実現されるが、これに限定されない。掲示板サービスは、例えば図７に示すようにＵＲＬにより特定され、典型的にはユーザがスレッドを設定してこれに対してさらに投稿を行なう形態となっている。スレッドや投稿メッセージはＩＤにより管理される。この例ではスレッドごとに投稿メッセージがシリアルな番号を割り当てられる。プロキシサーバ５００は、掲示板サーバ４００へのアクセスをキャッシュするものである。これにより掲示板サーバ４００へのアクセスを緩和することができる。
【００１９】
投稿閲覧装置１００は、チャンネル選択部１１０、放送信号受信再生部１１１、チャンネル・掲示板対応テーブル記憶部１１２、掲示板設定部１１３、表示部１１４、投稿閲覧制御部１２０等を含んで構成されている。投稿閲覧制御部１２０は、選択チャンネル判別部１２１、掲示板決定部１２２、新着投稿取得部１２３等を含んで構成されている。
【００２０】
チャンネル選択部１１０は放送チャンネル（サービスチャンネル）を選局するものである。表示部１１４のグラフィカルユーザインタフェースを用いて選局情報を入力しても良いしリモコンで入力しても良い（セットトップボックス等タッチボタンにより選局できる場合にはこれを用いても良い）。チャンネル選択部１１０の選局情報は、通常はダイレクトに放送信号受信再生部１１１に送られるが、この実施例では、フック機能を用いて、選択チャンネル判別部１２１に一旦供給されたのち放送信号受信再生部１１１に引き渡される。放送信号受信再生部１１１は、放送信号を受信し、チューニングし、復調等して映像信号、音声信号等を表示部１１４に供給する。表示部１１４は映像信号を例えば図２に示すように再生する。図２の例では、投稿閲覧モードでは、表示画面に背景としてＴＶ映像信号が表示され、吹き出し部に投稿が表示される。投稿閲覧モードを解除して通常ＴＶモードにすればＴＶ映像が全体的に表示される。データコンテンツを再生するものでも良い。なお、音声やデータコンテンツについてはとくに説明を行なわないが、通常のとおり再生される。データ放送が提供するウインドウに投稿内容を流し込むようにしても良い。データ放送が伝送するスクリプトやプログラムモジュールにより投稿取得を行なうようにしても良い。この場合、放送局側でチャンネルと掲示板サーバとの対応づけをデフォルトで設定するようにしても良い。
【００２１】
選択チャンネル判別部１２１は、選局情報から現在の放送チャンネルを判別する。通常は選局情報と放送チャンネル自体とは同じである。チャンネル増分指令のときには現在のチャンネル番号に増分した値を新たなチャンネルに設定する。掲示板決定部１２２は、チャンネル・掲示板対応テーブル記憶部１１２に記憶されているチャンネル・掲示板対応テーブルを参照して閲覧対象の掲示板を決定する。対応テーブルは例えば図４に示すようなレコードから構成されても良い。１つのチャンネルに複数の掲示板が割り当てられても良い。
【００２２】
掲示板のチャンネルへの割り当ては掲示板設定部１１３により行なえる。具体的には、例えば、図３に示すような、設定用のグラフィカルユーザインタフェースを用いることができる。この例では、プルダウンメニューで対象チャンネルを選択し、予め用意してあるお気に入りの掲示板の情報（ＵＲＬ）あるいは現在閲覧している掲示板のＵＲＬをドラッグアンドドロップにより割り当てフィールドに書き込むことにより行なうことができる。「設定」ボタンを操作して設定を確定できる。もちろん、これに限定されず種々の態様でチャンネルと掲示板とを対応づけることができる。
【００２３】
新着投稿取得部１２３は、所定のインターバル（固定時間に限定されない）で、選択チャンネルに割り当てられた掲示板（掲示板サーバ４００）にアクセスして新着投稿を取得する。新着投稿取得部１２３は、図６に示すような最終取得投稿ＩＤを所定の記憶部に各スレッドごとに保持し、所定の新着投稿を取得する。所定のインターバルをユーザが設定できるようにしても良い。
【００２４】
新着投稿を取得する手順は例えば図５に示すように行なわれる。この例では、掲示板において上位に配置されたスレッドから順に検索し、新たな投稿があった場合には、そのスレッドから新たな投稿を取得する。多くの場合、最新の投稿があったスレッドほど上位に来るので（通常、そのような設定や指定（デフォルト）を行なう）、上位から検索することにより、より速く最新の投稿を取り出すことができる。チャンネルに複数の掲示板が割り当てられている場合には、掲示板の検索順番を指定して（図３のドロップ領域の上から下の順等）全体の順位を指定しても良いし（この場合、後順位の掲示板からは、先順位の掲示板に新着情報がある場合には、投稿が取り出されない）、取り出し処理を掲示板ごとに行なっても良い（この場合、各掲示板の新着情報がある最上位のスレッドから新着情報がそれぞれ取得される）。
【００２５】
図５において、設定チャンネルの掲示板のＵＲＬ（図４参照）を用いて掲示板にアクセスし（Ｓ１０）、上位のスレッドから順に新着投稿があるかどうかを判別する（Ｓ１１）。新着情報があるかどうかの判別は図６のスレッドごとの前回の最終投稿ＩＤと比較することにより行なえる。なお、掲示板自体の更新があったかどうかをＨＥＡＤリクエストにより取得して更新がない場合には処理を終了するようにしても良い。つぎに、新着投稿がある最上位のスレッドから未取得の投稿を取得し（Ｓ１２）、この後、取得した最後の投稿番号をレコード（図６）に転記する。
【００２６】
なお、所定数の投稿を取得するまで下位のスレッドを検索してそこから新着投稿を取得していくようにしても良い。
【００２７】
また、閲覧を再開したときには、最終取得投稿ＩＤ（図６）はかなり古いものである場合もあり、場合によっては対応するスレッドが記録されていない場合もあり得る。したがって、閲覧開始時にはそのとき当該掲示板に保持されているスレッドについて最新投稿ＩＤを取得して図６に示すレコードをリフレッシュするようにしてもよい。また、最新投稿ＩＤの過去何通目を最終投稿ＩＤとして扱っても良い。
【００２８】
この実施例によれば、ＴＶ放送番組を主張しているときにそのチャンネルに対応する掲示板の新着情報を適宜取得して表示する。現在行なわれている投稿は基本的には現在視聴されている放送番組に関連するものと予想されるから、投稿がビジーなスレッドから投稿を取得することにより番組に関連するスレッドから投稿を取得して表示することが期待される。
【００２９】
図８は、上述実施例の変形例を示しており、この例では、新着投稿取得部１２３をＦＩＦＯ（ファーストインファーストアウト）記憶部１２４に一時記憶し、一時記憶された投稿を新着投稿取得部１２３と同期した読み出し部１２５で読み出して表示部１１４に供給する。読み出し部１２５は所定上限の範囲で投稿を取り出す。このようにすれば時間当たりの表示個数を制限でき、しかも、すべての投稿を可及的に閲覧できる。必要な場合には、パージボタンを用意してＦＩＦＯ記憶部１２４に一時記憶されている投稿をバージするようにしてもよい。
【００３０】
キャッシュモードを使用・解除を選択できるようにしても良い。
【００３１】
図９は、上述実施例の他の変形例を示しており、この例では、投稿が表示される投稿表示領域にスクロールバーを設けてこれを操作して一連の投稿をスキップしてつぎの投稿から閲覧するようにできる。スキップボタンを設けてこれを操作するたびに所定個数すつ投稿をスキップするようにしても良い。
【実施例２】
【００３２】
つぎのこの発明の実施例２について説明する。この実施例は、移動体通信の移動局の機能を有するリモコンに投稿閲覧機能を実装するものである。この例では、移動体通信を用いて掲示板サービスにアクセスするが、その他の手法で掲示板サービスにアクセスするように変形できる。例えば、無線ＬＡＮ機能を搭載してこれを介して掲示板サーバにアクセスしても良い。また、リモコンがＴＶ受像機やセットトップボックス等と微弱電波により通信できる場合には（例えば、無線ＬＡＮやＢｌｕｅｔｏｏｔｈ（商標））、ＴＶ受像機やセットトップボックスを介して掲示板サービスにアクセスするようにしても良い。ＩｒＤＡ等により赤外線等で通信を行なう場合でも良い。
【００３３】
図１０はこの発明をリモコン（選局要求送信装置）に適用した実施例２を全体として示しており、この図において図１と対応する箇所には対応する符号を付した。図１１はリモコンの６００の外観の例を簡略化して示す。
【００３４】
図１０において、リモコン６００は、チャンネル選択部１１０、チャンネル選択信号発信部６０１、チャンネル・掲示板対応テーブル記憶部１１２、掲示板設定部１１３、表示部１１４、投稿閲覧制御部１２０、移動体通信機能６０２等を含んで構成されている。チャンネル選択信号発信部６０１は例えばＩｒＤＡ規格により赤外線でチャンネル選択信号を放送番組視聴装置７００に送信する。放送番組視聴装置７００は例えばＴＶ受像機やセットトップボックス、ＶＴＲ等である。移動体通信機能６０２は基地局（図示しない）との間で移動体通信を行なう移動局の機能を実現するものである。
【００３５】
この例では、例えば、図１１のリモコン６００のリモコンボタン６０３を操作するとリモコンモードとなりキーボタン６０４を操作してチャンネル選択信号を送出できる。そして選局指示に応じて掲示板を選択して移動体通信機能６０２を用いて掲示板サービス（掲示板サーバ４００）にアクセスして新着の投稿を取得する。
【００３６】
この実施例によれば、リモコン６００を用いて選局を行なうと、対応する掲示板から所定の範囲の新着の投稿を取得して表示することができる。以上で実施例の説明を終了する。
【００３７】
なお、この発明は上述の実施例に限定されるものではなくその趣旨を逸脱しない範囲で種々変更が可能である。例えば、上述の例では、パーソナルコンピュータやリモコン機能付移動局の例を挙げたが、パーソナルコンピュータに限らず種々の情報処理装置に適用でき、また、リモコンも個別にネットワークにアクセスできれば移動体通信機能を有しなくても良い。
【００３８】
また、順次に取得される投稿は、閲覧を終了するまで（閲覧アプリケーションを閉じると）、いままでの投稿内容を保持し、新着投稿が下方にアペンドされ古いものは表示領域から外れるようにすることが想定される。この場合、スクロールバーを用いて古い投稿に戻ることも可能である。もちろん、古い投稿を順次に消去して言っても良い。これら表示のモードを切り替えるようにしても良い。また、過去に閲覧した投稿のログを保持して事後的に閲覧可能なようにしても良い。この場合スレッドでソートを行なって表示するようようにしても良い。
【図面の簡単な説明】
【００３９】
【図１】この発明の実施例１の構成を説明するブロック図である。
【図２】実施例１のＴＶ映像および投稿閲覧の表示例を説明する図である。
【図３】実施例１のチャンネルと掲示板との対応づけを行なうグラフィカルユーザインタフェースの例を説明する図である。
【図４】実施例１の掲示板のレコードの例を説明する図である。
【図５】実施例１の新着投稿取得動作の例を説明するフローチャートである。
【図６】実施例１の最終投稿情報のレコードの例を説明する図である。
【図７】スレッド型掲示板の例を説明する図である。
【図８】実施例１の変形例を説明する図である。
【図９】実施例１の他の変形例を説明する図である。
【図１０】この発明の実施例２の構成を説明するブロック図である。
【図１１】実施例２のリモコンの外観の例を簡略化して示す図である。
【符号の説明】
【００４０】
１００      投稿閲覧装置
１１０      チャンネル選択部
１１１      放送信号受信再生部
１１２      チャンネル・掲示板対応テーブル記憶部
１１３      掲示板設定部
１１４      表示部
１２０      投稿閲覧制御部
１２１      選択チャンネル判別部
１２２      掲示板決定部
１２３      新着投稿取得部
１２３      選択チャンネル判別部
１２４      ＦＩＦＯ記憶部
１２５      読み出し部
２００      パーソナルコンピュータ
３００      ネットワーク
４００      掲示板サーバ
５００      プロキシサーバ
６００      リモコン
６０１      チャンネル選択信号発信部
６０２      移動体通信機能
６０３      リモコンボタン
６０４      キーボタン
７００      放送番組視聴装置
【図１】
2006053729.tif 000003
【図２】
2006053729.tif 000004
【図３】
2006053729.tif 000005
【図４】
2006053729.tif 000006
【図５】
2006053729.tif 000007
【図６】
2006053729.tif 000008
【図７】
2006053729.tif 000009
【図８】
2006053729.tif 000010
【図９】
2006053729.tif 000011
【図１０】
2006053729.tif 000012
【図１１】
2006053729.tif 000013